(57)【要約】【課題】キャスタ付きの脚部に限定されることなく、広くベッドの脚部を安定的に載置して荷重検出を精度よく行うことができるベッド用荷重検出装置を提供する。【解決手段】ベッドの脚部２を載せる載置部５０と、載置部５０からの荷重を受けて撓み変形する起歪体４０と、起歪体４０に装着され、起歪体４０の変形量を検出するセンサユニットと、を備え、載置部５０が、脚部２の載置位置を規制する案内機構７０を備えた。【選択図】図３
2015111092.tif 000002
【特許請求の範囲】
【請求項１】
ベッドの脚部を載せる載置部と、
前記載置部からの荷重を受けて撓み変形する起歪体と、
前記起歪体に装着され、前記起歪体の変形量を検出するセンサユニットと、を備え、
前記載置部が、前記脚部の載置位置を規制する案内機構を備えたベッド用荷重検出装置。
【請求項２】
前記案内機構が、前記載置部において複数の同心円の各円周上に分散して形成された複数の孔部と、前記孔部に一部が内挿保持されて前記載置部から突出する位置決め部と、を備える請求項１に記載のベッド用荷重検出装置。
【請求項３】
前記案内機構が、前記載置部に形成した中央部の窪んだ同心円状の凹部である請求項１に記載のベッド用荷重検出装置。
【請求項４】
前記同心円状の凹部が段状に形成してある請求項３に記載のベッド用荷重検出装置。
【請求項５】
前記同心円状の凹部が連続した傾斜面で形成してある請求項３に記載のベッド用荷重検出装置。
【請求項６】
前記案内機構が、前記載置部に対して着脱可能な環状のスペーサである請求項１に記載のベッド用荷重検出装置。
【発明の詳細な説明】
【技術分野】
【０００１】
本発明は、ベッド上に着床した被験者の荷重変動を検出するベッド用荷重検出装置に関する。
【背景技術】
【０００２】
医療施設や介護施設等では、患者、乳幼児、高齢者、被介護者等の被験者の健康を把握するために、例えばベッド上で睡眠や休息する被験者の体動等を検出する荷重検出装置が存在する。
【０００３】
特許文献１に示される荷重検出装置は、ベッドの脚部の載置板への載置作業と載置板からの降ろし作業とを容易にするため、載置板に形成される凹部の高さが低く抑さえられている。載置板はプレス加工による凹部を形成されており、ベッドのキャスタ部が凹部に載置される。
【０００４】
特許文献２に示される荷重検出装置は、キャスタ付きのベッドの荷重を検出するものであって、載置板の上面にベッドのキャスタの向きが特定される凹部が設けられている。
また、特許文献３に示される荷重検出装置についても、同じくキャスタ付きのベッドの荷重を検出するものであって、載置板の上面にベッドのキャスタの向きが特定される凹部が設けられるとともに、片持ち梁構造の起歪体によって荷重が検出される。
【先行技術文献】
【特許文献】
【０００５】
【特許文献１】特開２００６−２６６８９４号公報
【特許文献２】特開２０００−１０５８８４号公報
【特許文献３】特開２００８−１２２０２号公報
【発明の概要】
【発明が解決しようとする課題】
【０００６】
特許文献１の荷重検出装置では、載置板の凹部の高さが低く抑えられているため、ベッド上での被験者の動きが大きい場合には、荷重検出装置に載置されるベッドの脚部であるキャスタが凹部からずれ落ちることがある。そうなると、荷重検出を適正に行うことが困難になる。また、載置板の凹部の高さを低くする上で、起歪体の中央部に孔が形成されており、起歪体の変形部分を形成する上で溝加工される等、荷重検出装置の構造自体も複雑である。
【０００７】
特許文献２及び３の荷重検出装置は、キャスタ付きのベッドに用いるものとして想定されたものである。このため、キャスタを有しないベッドの脚部を荷重検出装置に載置した場合には脚部の位置が安定せず、荷重検出の精度が低下する虞がある。キャスタ付きの脚部が載置される荷重検出装置では、荷重検出装置の適用範囲は狭くなってしまう。
【０００８】
本発明は、キャスタ付きの脚部に限定されることなく、広くベッドの脚部を安定的に載置して荷重検出を精度よく行うことができるベッド用荷重検出装置を提供することを目的とする。
【課題を解決するための手段】
【０００９】
本発明に係るベッド用荷重検出装置の特徴構成は、ベッドの脚部を載せる載置部と、
前記載置部からの荷重を受けて撓み変形する起歪体と、前記起歪体に装着され、前記起歪体の変形量を検出するセンサユニットと、を備え、前記載置部が、前記脚部の載置位置を規制する案内機構を備える点にある。
【００１０】
本構成の如く、載置部がベッドの脚部の載置位置を規制する案内機構を備えたことで、ベッドの脚部が載置部に安定的に載置される。これにより、起歪体は載置部からの荷重を適正に受けることとなり、ベッドの荷重検出の精度が向上する。
【００１１】
本発明に係るベッド用荷重検出装置の他の特徴構成は、前記案内機構が、前記載置部において複数の同心円の各円周上に分散して形成された複数の孔部と、前記孔部に一部が内挿保持されて前記載置部から突出する位置決め部とを備える点にある。
【００１２】
本構成によれば、案内機構が、載置部において複数の同心円の各円周上に分散して形成された複数の孔部と、孔部に一部が内挿保持される位置決め部とを備えるので、ベッドの脚部のサイズや形状に合わせて、載置部に設けられた孔部に位置決め部を配置することができる。脚部は当該載置位置から径方向外側への位置ずれが位置決め部によって規制されるため、載置部に対する脚部の位置設定が正確に行われる。これにより、脚部の外径が異なるベッドであっても荷重の検出精度を正確に維持することができる。
【００１３】
本発明に係るベッド用荷重検出装置の他の特徴構成は、前記案内機構が、前記載置部に形成した中央部の窪んだ同心円状の凹部である点にある。
【００１４】
本構成の如く、案内機構が、前記載置部に形成した中央部の窪んだ同心円状の凹部であると、ベッドの脚部の外径に拘らず脚部を載置部の中央位置に配置し易くなる。これにより、センサユニットによる荷重の検出精度がより向上する。
【００１５】
本発明に係るベッド用荷重検出装置の他の特徴構成は、前記同心円状の凹部が段状に形成してある点にある。
【００１６】
本構成の如く、載置部に形成した同心円状の凹部が段状に形成してあると、脚部は何れかの凹部に載置される。さらに、脚部は、隣接する外側段部の壁面によって当該載置位置から径方向外側への位置ずれが規制されるため、載置部に対する脚部の位置設定が正確に行われる。これにより、脚部の外径が異なるベッドであっても荷重の検出精度を正確に維持することができる。
【００１７】
本発明に係るベッド用荷重検出装置の他の特徴構成は、前記同心円状の凹部が連続した傾斜面で形成してある点にある。
【００１８】
載置部に形成した同心円状の凹部が段状に形成してある場合には、形成された段部の径と脚部の径とが合致する必要がある。しかし、本構成の如く、同心円状の凹部が連続した傾斜面で形成してあると、脚部の外径寸法に拘らず脚部は傾斜面に必ず当接した状態で載置位置が決定される。これにより、常に安定的な脚部の設置状態を得ることができ、荷重の検出精度をより向上させることができる。
【００１９】
本発明に係るベッド用荷重検出装置の他の特徴構成は、前記案内機構が、前記載置部に対して着脱可能な環状のスペーサである点にある。
【００２０】
本構成であれば、脚部の径方向への移動は常にスペーサで行われる。当該スペーサは、着脱可能であるから、脚部の外径寸法に応じて各種のものを用意しておけばよい。このような構成であれば、脚部は常に同じ載置部によって受け止められるから、ベッドの脚部の高さは一定となる。つまり、センサユニットに対して脚部は常に同じ高さ位置にあるから、ベッドに対して外力が水平方向に作用する場合でも、センサユニットに不測のモーメントが作用することがなく、測定値が脚部の高さ位置の影響を受けることがない。よって、荷重検出精度がさらに向上する。
【図面の簡単な説明】
【００２１】
【図１】ベッド用荷重検出装置の使用状態を示す概略斜視図である。
【図２】ベッド用荷重検出装置の斜視図である。
【図３】ベッド用荷重検出装置の側断面図である。
【図４】ベッド用荷重検出装置の平面図である。
【図５】ベッド用荷重検出装置の分解斜視図である。
【図６】第２実施形態の案内機構の構成を示す斜視図である。
【図７】案内機構の使用例を示す斜視図である。
【図８】載置部の平面図である。
【図９】載置部の孔部の配置の変形例を示す斜視図である。
【図１０】案内機構の変形例を示す断面図である。
【図１１】位置決め部の変形例を示す断面図である。
【図１２】載置部の孔部の配置の変形例を示す平面図である。
【図１３】位置決め部の変形例を示す図である。
【図１４】ベースプレートの別実施形態を示す図である。
【図１５】載置部の別実施形態を示す図である。
【図１６】載置部の別実施形態を示す図である。
【図１７】載置部の別実施形態を示す図である。
【発明を実施するための形態】
【００２２】
以下、本発明の実施形態を図面に基づいて説明する。
【００２３】
〔第１実施形態〕
図１に示すように、ベッド用荷重検出装置（以下、荷重検出装置と略称する。）１０は、ベッド設置面上においてベッド１の各脚部２に対応する位置に配置され、被験者の入床、離床、及び体動等を検出するために用いられる。ベッド設置面は、病室、診察室、検査室又は寝室の床面等である。
【００２４】
荷重検出装置１０からの出力信号は、例えば信号ケーブルを介して演算手段１１に入力され、被験者の在床状況が演算される。なお、荷重検出装置１０からの出力信号は例えば無線通信手段により演算手段１１に送信されるよう構成してもよい。演算手段１１によって演算された在床状況は、例えば通信手段や報知手段によって報知対象者に報知してもよいし、表示手段によって監視することもできる。
【００２５】
ベッド１上には、被験者として、健康人、病人、乳幼児、高齢者等が睡眠、休息、診察、検査等のために横臥姿勢となる。ベッド１は、睡眠用や休息用に限定されず、診察台、検査台、担架、ソファ等であってもよい。
【００２６】
図２〜図５に示すように、荷重検出装置１０は、底部カバー２０、ベースプレート３０、起歪体４０、センサユニット４１、載置部５０、カバー体６０、及びスペーサ７０によって構成されている。ベースプレート３０には、起歪体４０及びブラケット４２を支持するための２本の支持軸３１，３２が立設されている。支持軸３１，３２の間には孔部３３が形成される。
【００２７】
起歪体４０は略長方形をなす板状であって、載置部５０からの荷重を受けて撓み変形する。起歪体４０には起歪体４０の変形量を検出するセンサユニット４１が装着されている。センサユニット４１には、起歪体４０の歪センサ（例えば、起歪体４０表面に貼付される歪ゲージＧ１，Ｇ２）、ブラケット４２、歪ゲージＧ１，Ｇ２からの信号を増幅するためのアンプ装置４５、歪ゲージＧ１，Ｇ２とアンプ装置４５とに接続されるＦＰＣ基板等が備えられている。
【００２８】
起歪体４０の両端部には孔部４０ａ，４０ｂが形成されている。ブラケット４２は起歪体４０の上面に配設されている。ブラケット４２には、その両端に支持孔部４２ａ，４２ｂが設けられ、起歪体４０の側方、言い換えれば、起歪体４０の伸長方向と直交する方向に延在するように形成されている。ベースプレート３０の支持軸３１，３２が起歪体４０の孔部４０ａ，４０ｂおよびブラケット４２の支持孔部４２ａ，４２ｂに挿入され、ナット４３，４３が支持軸３１，３２に螺合される。こうして、起歪体４０及びブラケット４２はベースプレート３０に固着される。
【００２９】
起歪体４０は、ブラケット４２とリング状のベース部４０ｃとの間に挟持される。ベースプレート３０に固着された起歪体４０は長手方向（孔部４０ａ、４０ｂを結ぶ方向）に自由度を有し、かつ長手方向に交差する方向への移動が規制される。
【００３０】
起歪体４０の中央部には載置部５０を連結する連結軸（ボルト）４４が立設されている。連結軸４４は、起歪体４０の中央部に形成された孔部に下方から挿入され、起歪体４０の上側からワッシャ４４ａが嵌合されている。連結軸４４の底部４４ｂは孔部３３によってベースプレート３０との接触が回避されている。ブラケット４２には、歪ゲージＧ１，Ｇ２からの信号を増幅するためのアンプ装置４５が装着されている。また、アンプ装置４５にセンサ側コネクタ４６が接続されており、センサ側コネクタ４６にはアンプ装置４５の出力を電子制御ユニット（演算手段）１１に送信するケーブル側コネクタ４７が接続される。ケーブル側コネクタ４７には信号ケーブル４８が備えられている。
【００３１】
載置部５０は、円形の平板部５１の外周に筒状部５２を備えており、中央部の窪んだ同心円状の凹部５３が形成されている。平板部５１には下方に突出する棒状部５４が形成されている。棒状部５４に形成された内溝部に連結軸４４が螺合されることで、起歪体４０に載置部５０が連結される。
【００３２】
カバー体６０は、ベースプレート３０、起歪体４０、センサユニット４１、及び載置部５０を収納する。カバー体６０は、ブラケット４２、アンプ装置４５及び載置部５０を収納する第１カバー部６１と、センサ側コネクタ４６、ケーブル側コネクタ４７、及び信号ケーブル４８を収納する第２カバー部６２と、を有する。第１カバー部６１は筒状に形成され、第２カバー部６２は第１カバー部６１の外周の一部に連続して形成されており上面カバー６２ａを備えている。第１カバー部６１の内周面には上下方向のリブ６３が所定間隔毎に設けられている。当該リブ６３は、第１カバー部６１の合成を高めると共に、リブ６３の下端部がベースプレート３０の上面に当接して、第１カバー部６１の位置決めを行う。第１カバー部６１及び第２カバー部６２の底部には内方に向く爪部６４が夫々形成されている。リブ６３の下端部がベースプレート３０の上面に当接した状態で爪部６４がベースプレート３０の係合部３５に係合し、カバー体６０がベースプレート３０に固定される。載置部５０には、孔部７１を有する環状のスペーサ７０が着脱可能に載置されている。
【００３３】
連結軸４４を介して起歪体４０に荷重が作用すると、起歪体４０は両端部を支持軸３１，３２によって支持された状態で撓む。その際に、起歪体４０の表面には、支持軸３１，３２と連結軸４４との各間に、荷重に比例して支持軸３１，３２側に圧縮歪、連結軸４４側に引張歪が生じる。歪ゲージＧ１，Ｇ２は、これらの圧縮歪、引張歪を検出する。
【００３４】
歪ゲージＧ１，Ｇ２によって例えばブリッジ回路が構成され、起歪体４０の撓み、すなわち、起歪体４０に作用した荷重に応じた電気信号が出力される。なお、支持軸３１，３２側に圧縮歪、連結軸４４側に引張歪が生ずるように設定する場合だけでなく、支持軸３１，３２の側にのみ圧縮歪または引張歪が生ずるように設定する場合や、連結軸４４の側に圧縮歪または引張歪が生ずるように設定する場合もある。
【００３５】
荷重検出装置１０の上に配置されたベッド１においては、被験者がベッド１に着床すると、被験者の荷重が脚部２から載置部５０を介して起歪体４０に作用する。これにより、支持軸３１，３２に両端部を支持されている起歪体４０の中央部が撓み、起歪体４０の表面には、支持軸３１，３２と連結軸４４との各間に、荷重に比例して支持軸３１，３２側に圧縮歪、連結軸４４側に引張歪が生じる。これら圧縮歪及び引張歪は歪ゲージＧ１，Ｇ２によって検出され、歪ゲージＧ１，Ｇ２の検出出力は、アンプ装置４５によって増幅される。アンプ装置４５によって増幅された検出出力は、センサ側コネクタ４６およびケーブル側コネクタ４７を介して信号ケーブル４８によって電子制御ユニット（演算手段）１１に送信される。
【００３６】
こうして、起歪体４０の変形量に基づいて、ベッド１に着床する被験者の荷重が検出される。そして、検出結果に基づく荷重の変化量を検知することで被験者の状態を適正に把握することができる。
【００３７】
載置部５０の凹部５３の形状がベッド１の脚部２の底部の形状に合致していない場合には、載置部５０に載置された脚部２はベッド１上の被験者の動作によって位置が移動し易い状態となる。仮に載置部５０において脚部２が移動してしまうと、載置部５０から受ける荷重にぶれが生じることとなり、荷重検出の精度が低下する。そこで、荷重検出装置１０には、ベッド１の脚部２の載置位置を規制する案内機構を備える。案内機構は例えば環状のスペーサ７０によって構成される。スペーサ７０の外形が平板部５１と同形状であり、孔部７１が脚部２の底部の外周形状と同形状に形成されている。これにより、載置部５０に載置された脚部２は孔部７１の内周面に当接して載置位置が規制されるため、脚部２の位置が安定的に保持される。その結果、起歪体４０は載置部５０からの荷重を適正に受けることとなり、ベッド１の荷重の検出精度が向上する。
【００３８】
孔部７１の内径が異なるスペーサ７０を複数用意することで、脚部の形状が異なるベッドに対して容易に対応することができる。孔部７１は脚部２の形状に合わせて角状に形成されていてもよい。
【００３９】
載置部５０には、中央部の窪んだ同心円状の凹部５３が形成されている。したがって、この凹部５３の形状をベッド１の脚部２の底部の形状に合致する形状にして案内機構を構成してもよい。
【００４０】
カバー体６０には、センサユニット４１に接続された信号ケーブル４８をカバー体６０の上方に引き出すケーブル案内部６５が形成されている。ケーブル案内部６５は、第１カバー部６１と第２カバー部６２との接続部分において上下方向に形成されている。ケーブル案内部６５に信号ケーブル４８を案内することで、信号ケーブル４８をカバー体６０の上方に確実に引き出すことができる。カバー体６０の上方はベッド載置面から離間する方向であるので、信号ケーブル４８をベッド載置面から容易に離間することができる。引き出された信号ケーブル４８は、ベッド載置面から離間したベッドフレームに容易に沿わせることもでき、信号ケーブル４８をベッド載置面から離間した状態に維持させ易い。
【００４１】
ケーブル案内部６５には信号ケーブル４８の位置ずれを防止するように把持する第１固定部６６を備えている。第１固定部６６は第１カバー部６１側が開放されており、把持部６６ａが閉じ方向に付勢されて構成されている。これにより、信号ケーブル４８は第１固定部６６で把持されて確実にその位置に保持される。したがって、ケーブル案内部６５において信号ケーブル４８を上向き姿勢に維持させ易い。
【００４２】
仮に、第１固定部６６が載置部５０の筒状部５２の上部位置と略同じか低い位置であると、ベッド１の脚部２は第１固定部６６に乗り上がる場合がある。そうなると、第１固定部６６の上方において信号ケーブル４８が脚部２に接触し、信号ケーブル４８が損傷してしまう虞がある。このため、第１固定部６６はケーブル案内部６５の上部に備えられており、第１固定部６６の位置が載置部５０の筒状部５２の上部位置よりも高くなるよう設定してある。こうすると、ベッド１の脚部２は第１固定部６６に乗り上がり難くなり、第１固定部６６の上方の信号ケーブル４８は脚部２との接触が防止される。
【００４３】
ケーブル案内部６５によって上方に引き出された信号ケーブル４８に引張力が付与されると、この引張力がセンサ側コネクタ４６に接続されるケーブル側コネクタ４７に直接作用することがある。そうなると、ケーブル側コネクタ４７は引張力の影響を受けるので、ケーブル側コネクタ４７から出力される検出結果が変動してしまう虞がある。
そこで、ベースプレート３０に、信号ケーブル４８を掛け止めする第２固定部４９を備えてある。第２固定部４９は閉じ方向に付勢される挟持部４９ａを備えており、挟持部４９ａに信号ケーブル４８を差込むことで信号ケーブル４８が保持される。第２固定部４９は取付ねじ４９ｂによってベースプレート３０のねじ受け部３４に取り付けられる。ベースプレート３０に第２固定部４９を備えることで、信号ケーブル４８が上方に向けて引っ張られても、第２固定部４９に掛け止めされた信号ケーブル４８の位置を保持することができる。これにより、信号ケーブル４８の引張力によるケーブル側コネクタ４７への作用を阻止することができる。
【００４４】
〔第２実施形態〕
本実施形態では、図６〜図８に示すように、ベッドの脚部２の載置位置を規制する案内機構として、載置面（平板部）５１において複数の同心円８１〜８３の各円周上に形成された複数の孔部８１ａ〜８３ａと、孔部８１ａ〜８３ａに一部が内挿保持されて載置面５１から突出する位置決め部９０と、を備えている。
【００４５】
載置部５０の載置面（平板部）５１には、脚部２の載置位置の指標として連結軸４４を中心とする複数の同心円８１〜８３が設けられている。同心円８１〜８３は各種印刷技術を用いて載置面５１に描かれる。最も内側の第１同心円８１には円周上に孔部８１ａが３つ形成されている。第１同心円８１の外側の第２同心円８２と、第２同心円８２の外側の第３同心円８３にも孔部８２ａ，８３ａが３つずつ形成されている。なお、同心円８１〜８３（円周のライン）を設けずに孔部８１ａ〜８３ａのみを形成してもよい。
【００４６】
孔部８１ａ〜８３ａは、いずれも周方向に均等に分散配置（例えば１２０度間隔）されている。また、孔部８１ａ〜８３ａは、各同心円８１〜８３の径方向において重ならないよう千鳥状に配置されている。これにより、隣接する同心円の孔部同士は離間した位置に設けられるので、載置部５０の強度低下を抑制することができる。また、隣接する同心円の径方向の間隔が小さい場合でも孔部同士を離間させた状態で配置できるので、載置面５１が小さい荷重検出装置にも適用することもできる。
【００４７】
孔部８１ａ〜８３ａに一部が内挿保持される位置決め部９０は、頭部９１と挿入部９２とを有するピン部材９３によって構成されている。頭部９１及び挿入部９２は、いずれも円柱状に形成されており、挿入部９２は頭部９１よりも径が小さい。挿入部９２が孔部８１ａ〜８３ａに挿入可能であり、頭部９１の径は孔部８１ａ〜８３ａの径よりも大きい。このため、ピン部材９３の頭部９１は載置面５１から突出する状態に保持される。なお、挿入部９２のネジで構成され、孔部８１ａ〜８３ａの内周面に挿入部９２に対応する螺合部が形成されていてもよい。
【００４８】
ベッド１の脚部２の載置位置を規制するために、載置面５１に脚部２を載せて脚部２が載置面５１の略中心位置となるよう位置合わせをする。その後、脚部２の外周側であって最も内側に位置する孔部８１ａ〜８３ａにピン部材９３を挿入する。例えば、小径の脚部２の場合には、第１同心円８１に形成された孔部８１ａにピン部材９３が挿入される（図７）。図示しないが、脚部２の径に合わせて、適宜、第２同心円８２及び第３同心円８３の孔部８２ａ，８３ａが用いられる。
【００４９】
これにより、脚部２は周囲に配置される３本のピン部材９３によって載置面５１における載置位置が規制される。その結果、ベッド１の脚部２を載置面５１の中央付近に保持することができ、ベッド１の荷重の検出精度を正確に維持することができる。なお、脚部２が第３同心円８３よりも大きい場合にはピン部材９３は不要となり、載置面５１の外周壁によって脚部２の位置が保持される。
【００５０】
脚部２と同心円８１〜８３との位置関係が予め知得される場合等においては、ピン部材９３を適応する孔部８１ａ〜８３ａに挿入した後に、脚部２をピン部材９３の内側に載置してもよい。その他、ピン部材９３を孔部８１ａ〜８３ａに対して部分的に挿入し脚部２を載置面５１に載置した後に、残りのピン部材９３を孔部８１ａ〜８３ａに挿入してもよい。ピン部材９３が挿入されない孔部については、別のシールやカバーを用いて塞ぐよう構成してもよい。
【００５１】
〔第２実施形態の変形例〕
（１）図９に示すように、複数の同心円８１〜８３の円周上に形成される孔部８１ａ〜８３ａは、径方向に延びる直線上に配置されていてもよい。こうすると、ピン部材９３が複数の同心円８１〜８３のうち何れの同心円の孔部に位置するかを容易に確認することができる。ただし、孔部８１ａ〜８３ａが径方向に連続することから、載置部５０の強度が低下する虞がある。このため、載置部５０の強度を確保する上で隣接する孔部８１ａ〜８３ａには適正な間隔が必要となる。
【００５２】
（２）載置部５０に形成され孔部８１ａ〜８３ａは、有底の凹部状に形成されていてもよい。その場合には、図１０に示すように、ピン部材９３を頭部９１及び挿入部９２が同径の円柱状に形成してもよい。
【００５３】
（３）図１１に示すように、位置決め部９０は、ピン部材９３に代えて、孔部９４を有する環状部９５と環状部９５の下部に設けられた挿入部９６と、を備えた環状部材９７であってもよい。環状部材９７は、各同心円８１〜８３に対して個別に必要となる。挿入部９６を対応する同心円８１〜８３の円周上の孔部８１ａ〜８３ａに挿入することで、環状部材９７が載置面５１に装着される。載置部５０に載置された脚部２は孔部９４の内周面に当接して載置位置が規制されて安定的に保持される。その結果、起歪体４０は載置部５０からの荷重を適正に受けることとなり、ベッド１の荷重の検出精度が向上する。
【００５４】
（４）上記の第２実施形態（変形例を含む）では同心円及び各同心円の孔部を３つずつ設ける例を示したが、同心円及び孔部は夫々複数設けられていればよい。例えば脚部２が角脚（断面四角形）である場合にはピン部材９３を挿入する孔部を４つ形成する方が好ましい。また、図１２に示すように、同心円８１〜８３の円周上に孔部８１ａ〜８３ａを６つずつ形成し、同心円８１〜８３を指標とする丸脚（断面円形）と、同心の四角形８１´〜８３´を指標とする角脚（断面四角形）との両方に対応できるよう構成してもよい。
【００５５】
（５）位置決め部９０（ピン部材９３、環状部材９７）と脚部２との間には隙間が存在することがあり、その場合には脚部２の移動が若干許容されてしまう。そこで、こうした脚部２の移動を抑制するために、図１３に示すように、例えばピン部材９３の頭部９１を弾性ゴム等により変形可能にして、ピン部材９３が脚部２に当接されるよう構成してもよい。ピン部材９３の頭部９１に変形可能なリブを設けてもよいし、同様に環状部材９７の環状部９５の内周側を変形可能に構成してもよい。
【００５６】
こうすると、ピン部材９３を脚部２に押し付けて配置したり、位置決め部９０によって形成される脚部２の載置領域を脚部２よりも小さめに設定したりして、位置決め部９０と脚部２とを隙間なく当接させることができる。その他、ピン部材９３の頭部９１の水平断面を偏心形状にして頭部９１の周囲の何れかの部分が脚部２に当接するよう構成してもよい。位置決め部９０がピン部材９３の場合には、必ずしも全てのピン部材９３が上述の脚部２に当接させる構成を備える必要はなく、少なくとも１以上のピン部材９３が備えていればよい。
【００５７】
〔他の実施形態〕
（１）上記の実施形態では、第２固定部４９を取付ねじ４９ｂを用いてベースプレート３０に固着する例を示したが、図１４に示すように、第２固定部４９は、ベースプレート３０の周辺部の一部を曲げ加工して形成してもよい。ベースプレート３０にはカバー体６０の爪部６４が係合する係合部３５を有する。したがって、ベースプレート３０を形成する際に係合部３５と第２固定部４９とを同時に加工することもできる。
【００５８】
（２）上記の実施形態では、スペーサ７０を用いて脚部２の載置部５０での位置を規制した例を示したが、スペーサ７０に代えて、載置部５０の中央部に窪んだ同心円状の凹部５３によって脚部２の位置を規制してもよい。載置部５０は、凹部５３の径が異なるものを複数用意し交換可能に構成してもよい。
【００５９】
（３）図１５に示すように、載置部５０は、同心円状の凹部５３を段状（複数の段部５５）に形成してもよい。載置部５０に形成した同心円状の凹部５３が段状に形成してあると、脚部２は何れかの凹部５３（段部５５）に載置される。さらに、脚部２は、隣接する外側段部の壁面によって当該載置位置から径方向外側への位置ずれが規制されるため、載置部５０に対する脚部２の位置設定が正確に行われる。これにより、脚部２の外径が異なるベッド１であっても荷重の検出精度を正確に維持することができる。
【００６０】
（４）上記の第２実施形態の構成において、載置部５０が、同心円状の凹部５３を段状に形成したものであってもよい。図１６に示すように、段部５５を有する載置部５０では、孔部８２ａに内挿保持された位置決め部９０（図ではピン部材９３、ピン部材９３に代えて環状部材９７であってもよい）による脚部２の移動の規制に加え、段部５５によっても脚部２の移動が規制される。これにより、脚部２を載置位置により安定的に保持することができる。
【００６１】
（５）図１７のように、載置部５０は、同心円状の凹部５３が連続した傾斜面５６で形成されてもよい。同心円状の凹部５３が連続した傾斜面５６で形成してあると、脚部２の外径寸法に拘らず脚部２は傾斜面５６に必ず当接した状態で載置位置が決定される。これにより、常に安定的な脚部２の設置状態を得ることができ、荷重の検出精度をより向上させることができる。
尚、このような連続した傾斜面５６は、図１７のごとく円錐状に形成してもよいし、球体の如く曲面状に形成してもよい。載置部５０の中央部と外縁部とで傾斜程度を任意に変更しておいてもよい。また、傾斜面５６と、上記の第２実施形態における孔部８１ａ〜８３ａ及び位置決め部９０（ピン部材９３又は環状部材９７）とを組み合わせて構成してもよい。
【産業上の利用可能性】
【００６２】
本発明に係るベッド用荷重検出装置は、脚部を備えたベッドや寝具に広く用いることができる。
【符号の説明】
【００６３】
１    ベッド
２    脚部
１０  荷重検出装置
３０  ベースプレート
４０  起歪体
４１  センサユニット
４８  信号ケーブル
４９  第２固定部
５０  載置部
５１  平面部（載置面）
５３  凹部（案内機構）
５５  段部（案内機構）
５６  傾斜面（案内機構）
６０  カバー体
６５  ケーブル案内部
６６  第１固定部
７０  スペーサ（案内機構）
８０  孔部（案内機構）
９０  位置決め部（案内機構）
Ｇ１，Ｇ２  歪ゲージ（歪センサ）
【図１】
2015111092.tif 000003
【図２】
2015111092.tif 000004
【図３】
2015111092.tif 000005
【図４】
2015111092.tif 000006
【図５】
2015111092.tif 000007
【図６】
2015111092.tif 000008
【図７】
2015111092.tif 000009
【図８】
2015111092.tif 000010
【図９】
2015111092.tif 000011
【図１０】
2015111092.tif 000012
【図１１】
2015111092.tif 000013
【図１２】
2015111092.tif 000014
【図１３】
2015111092.tif 000015
【図１４】
2015111092.tif 000016
【図１５】
2015111092.tif 000017
【図１６】
2015111092.tif 000018
【図１７】
2015111092.tif 000019